(57)【要約】【課題】袋式の乳幼児キャリアが折り畳み式携帯用キャリーに取り付けられたベビーキャリー具を提供する。【解決手段】乳幼児の後頭部，背部，股部および腹部をそれぞれ支持するための頭当て部，背当て部，股当て部および前当て部を有するキャリア本体、および頭当て部もしくは背当て部の左右両端部から延びる一対のベルト部から成るベビーキャリアと、上下に伸縮自在な本体枠、本体枠の下部に片持ち式に揺動自在に連結された台枠、本体枠の下端に支持された一対の車輪、および本体枠の上端に設けられた取っ手部から成る折り畳み式携帯用キャリーとから構成される。そして、ベビーキャリアの頭当て部の外側領域の上部に２個の第１の帯体が上下方向に並行に設けられ、折り畳み式携帯用キャリーの上部の取っ手部に、２個の第２の帯体が下方に垂れ下げて設けられ、第１の帯体の上端に係止用部材、第２の帯体の下端の一端に係合用部材が設けられる。【選択図】図４
2013081671.tif 000002
【特許請求の範囲】
【請求項１】
乳幼児の後頭部，背部，股部および腹部をそれぞれ支持するための頭当て部，背当て部，股当て部および前当て部を有するキャリア本体、および頭当て部もしくは背当て部の左右両端部から延びる一対のベルト部から成るベビーキャリアと、
上下に伸縮自在な本体枠、本体枠の下部に片持ち式に揺動自在に連結された台枠、本体枠の下端に支持された一対の車輪、および本体枠の上端に設けられた取っ手部から成る折り畳み式携帯用キャリーと、
から構成され、
上記ベビーキャリアの頭当て部の外側領域の上部に、２〜３個の第１の帯体が上下方向に並行に設けられ、
上記折り畳み式携帯用キャリーの上部の取っ手部に、第１の帯体と同数の第２の帯体が下方に垂れ下げて設けられ、
第１の帯体の上端あるいは第２の帯体の下端の一端に係合用部材、他端に係止用部材が設けられた、
ことを特徴とするベビーキャリー具。
【請求項２】
上記の折り畳み式携帯用キャリーにおいて、
本体枠へ揺動自在に連結された左右一対の補助支持部と、
それぞれの補助支持部の下端に設けられた補助車輪と、
補助支持部の揺動範囲を制限するストッパーと、
が更に設けられたことを特徴とする請求項１に記載のベビーキャリー具。
【請求項３】
上記の折り畳み式携帯用キャリーにおいて、
台枠の前後方向の長さは、１９〜２２ｃｍ、本体枠および台枠の左右方向の長さ２８〜３５ｃｍである、
ことを特徴とする請求項１又は２に記載のベビーキャリー具。
【発明の詳細な説明】
【技術分野】
【０００１】
本発明は、抱っこ紐などの乳幼児キャリアと折り畳み式携帯用キャリーを利用した乳幼児キャリー具の技術に関するものである。
【背景技術】
【０００２】
従来から、乳幼児を保持しながら運搬するための乳幼児キャリアがあり、乳幼児用キャリアには乳幼児の体側部が支持できる袋式のものが知られている（例えば、特許文献１を参照。）。
袋式の乳幼児キャリアは、乳幼児の体側部を支持すべく、前当て部，股当て部及び背当て部から成るが、乳幼児を安定して確実に支持することができるように前当て部，股当て部及び背当て部が一体的に形成され、また、後頭部を保護できるヘッドサポートが設けられているものが知られている（例えば、特許文献２を参照。）。
【０００３】
一方で、本体枠の下部に片持ち式に揺動自在に連結された台枠、本体枠の下端に支持された左右一対の車輪、本体枠の上端に設けられた取っ手部から成る折り畳み式携帯用キャリーが知られている（例えば、特許文献３，４を参照。）。
【先行技術文献】
【特許文献】
【０００４】
【特許文献１】実公平４−１７０６４号公報
【特許文献２】特開平８−１５００５１号公報
【特許文献２】特開２００４−１１４７２６号公報
【特許文献２】実登３００３８９６号公報
【発明の概要】
【発明が解決しようとする課題】
【０００５】
袋式の乳幼児キャリアは、基本的に、横抱っこ、縦対面抱っこ、縦前向き抱っこ、おんぶの使用方法がある。これらの使用方法では、大人の身体に取り付けるのが前提である。このような乳幼児キャリアを、縦対面抱っこ、縦前向き抱っこ、おんぶの使用方法で用いる場合、両手は自由に使え、カバンなどの荷物を持ち運ぶことが可能である。カバンなどの荷物を持ち運ぶ場合、持ち運びを簡便にするため、上述の折り畳み式携帯用キャリーなどが用いられる。
【０００６】
この場合、乳幼児キャリアを身体に装着するのではなく、十分な安定性を確保した上で、携帯用キャリーに取り付けることができれば、身体の不自由さを解消することができ、また、長時間、身体に装着した場合の身体の負担を軽減できる。
上記状況に鑑みて、本発明は、袋式の乳幼児キャリアを携帯用キャリーに取り付けたベビーキャリー具を提供することを目的とする。
【課題を解決するための手段】
【０００７】
上記目的を達成すべく、本発明のベビーキャリー具は、
１）乳幼児の後頭部，背部，股部および腹部をそれぞれ支持するための頭当て部，背当て部，股当て部および前当て部を有するキャリア本体、および頭当て部もしくは背当て部の左右両端部から延びる一対のベルト部から成るベビーキャリアと、
２）上下に伸縮自在な本体枠、本体枠の下部に片持ち式に揺動自在に連結された台枠、本体枠の下端に支持された一対の車輪、および本体枠の上端に設けられた取っ手部から成る折り畳み式携帯用キャリーとから構成されるものであり、上記１）のベビーキャリアの頭当て部の外側領域の上部に２〜３個の第１の帯体が上下方向に並行に設けられ、上記２）の折り畳み式携帯用キャリーの上部の取っ手部に、第１の帯体と同数の第２の帯体が下方に垂れ下げて設けられ、第１の帯体の上端あるいは第２の帯体の下端の一端に係合用部材、他端に係止用部材が設けられたことを特徴とする。
【０００８】
かかる構成によれば、袋式の乳幼児キャリアを携帯用キャリーに取り付けることができ、身体の不自由さを解消することができ、また、長時間、身体に装着した場合の身体の負担を軽減できる。
第１の帯体の上端あるいは第２の帯体の下端の一端に設けられる係合用部材、他端に設けられる係止用部材とは、例えば、輪っキャリーフックの関係のようなもの、凸部と凹部の関係のようなものであり、外れ止めがあるものである。外れ止めは、スプリングや板バネなどのバネの力で閉じるものや、引っ掛かりが生じるものである。
【０００９】
第１の帯体の下端部が、ベビーキャリアの頭当て部の外側領域の上部に取り付けられる。取り付けは縫合や接着やピン留めで行われる。なお、第１の帯体が、ベビーキャリアの頭当て部と一体的に形成されるものでもよい。
また、ベビーキャリアの安定性を図るため、第１の帯体は少なくとも２つ取り付ける。取り付けの煩雑さがないように、２つまたは３つが好ましい。ここで、背当て部ではなく、頭当て部の外側領域の上部に取り付けるのは、ベビーキャリアの中に乳幼児が収納された場合に、前方に倒れにくくするためである。
【００１０】
また、上記２）の折り畳み式携帯用キャリーにおいて、本体枠へ揺動自在に連結された左右一対の補助支持部と、それぞれの補助支持部の下端に設けられた補助車輪と、補助支持部の揺動範囲を制限するストッパーと、が更に設けられたことがより好ましい。
かかる構成により、ベビーキャリー具の安定性が向上し、ベビーキャリー具の転倒防止が図れるからである。
【００１１】
また、上記２）の折り畳み式携帯用キャリーにおいて、台枠の前後方向の長さは、１９〜２２ｃｍ、本体枠および台枠の左右方向の長さ２８〜３５ｃｍであることが更に好ましい。
折り畳み式携帯用キャリーの台枠の大きさを上記範囲のコンパクトな設計とすることにより、エスカレーターのステップの前後の長さに収めることが可能であり、ベビーキャリー具に乳幼児を載せたままエスカレーターを安全に利用することができる。また、折り畳んだ場合に手提げカバンに収納することが可能になる。
【発明の効果】
【００１２】
本発明のベビーキャリー具によれば、袋式の乳幼児キャリアを携帯用キャリーに取り付けることができ、身体の不自由さを解消できるといった効果を有する。
また、長時間、身体に装着した場合の身体の負担を軽減できるといった効果を有する。
さらに、食事の際、乳幼児用の適切な椅子が存在しない場合に、本発明のベビーキャリー具を椅子に代用することができる。
【図面の簡単な説明】
【００１３】
【図１】ベビーキャリアの縦対面抱っこのイメージ図
【図２】ベビーキャリアの説明図
【図３】折り畳み式携帯用キャリーの正面図
【図４】ベビーキャリー部におけるベビーキャリアと携帯用キャリーの取付けの様子を説明する図
【図５】ベビーキャリー具の側面図
【図６】ベビーキャリー具を運搬する図
【図７】折り畳み式携帯用キャリーが折り畳まれた図
【図８】ベビーキャリアを身体に装着し、折り畳み式携帯用キャリーが収納された手提げカバンを片手に持っている様子を示す図
【発明を実施するための最良の形態】
【００１４】
以下、本発明の実施形態について、図面を参照しながら詳細に説明していく。なお、本発明の範囲は、以下の実施例や図示例に限定されるものではなく、幾多の変更及び変形が可能である。
【実施例１】
【００１５】
図１は、ベビーキャリアの縦対面抱っこのイメージ図を示している。ベビーキャリア１には、頭当て部２、背当て部３、股当て部４、前当て部（図示せず）があり、頭当て部２ないしは背当て部３の後方部分の左右には、大人の身体の肩掛けベルト（６ａ，６ｂ）に装着できる肩掛けストラップ（図示せず）が取り付けられている。図１においては、ベビーキャリアの頭当て部２は後方に折り返し、乳幼児の頭や顔が見えるようにしているが、ベビーキャリアを袋式に用いる場合、頭当て部２は乳幼児の後頭部保護のために後方に折り返すことなく使用する。
【００１６】
図２は、ベビーキャリアの説明図である。ベビーキャリア１は、頭当て部２、背当て部３、股当て部４、前当て部５から構成され、ベビーキャリア１の全体が袋式になっている。ベビーキャリア１の頭当て部２の外側領域の上部には、２個の第１の帯体（７，８）が上下方向に並行に設けられている。第１の帯体（７，８）の上端には、嵌め込み用の凹部の係止用部材（７ａ，８ａ）が設けられている。
また、頭当て部２ないしは背当て部３の後方部分の左右には、肩掛けストラップ（１１，１２）が設けられている。肩掛けストラップ（１１，１２）の先端にはそれぞれ大人の身体の肩掛けベルトと係合できる係合部材（１１ａ，１２ａ）が設けられている。
【００１７】
図３は、折り畳み式携帯用キャリーの正面図である。図３に示すように、折り畳み式携帯用キャリー２０は、上下に伸縮自在な本体枠（２２〜２７）、本体枠２７の下部に片持ち式に揺動自在に連結された台枠２９、本体枠２７の下端に支持された一対の車輪（２８ａ，２８ｂ）、および本体枠２２の上端に設けられた取っ手部２１から構成される。
折り畳み式携帯用キャリー２０の取っ手部２１に、２つの第２の帯体（９，１０）が下方に垂れ下げて設けられている。第２の帯体（９，１０）の下端には、嵌め込み用の凸部の係合用部材（９ａ，１０ａ）が設けられ、第１の帯体（７，８）の上端に設けられた嵌め込み用の凹部の係止用部材（７ａ，８ａ）と係合できるようになっている。２つの第２の帯体（９，１０）は、布製・革製・柔軟性のある樹脂製であり、帯体で形成される輪っかを取っ手部２１が通るように取り付けられる。
【００１８】
折り畳み式携帯用キャリー２０の本体枠（２２〜２７）では、枠２７に枠２４が収納できるように、枠２７のパイプの内径が枠２４のパイプの外径よりも大きく設計されている。また、枠２４に枠２２が収納できるように、枠２４のパイプの内径が枠２２のパイプの外径よりも大きく設計されている。枠２２，２４，２７の上下方向の長さは、全て同等か枠２７が最も長くなるように設計されている。従って、本体枠２２と２４は、枠２７のパイプ内に全て収納できることになる。本体枠２２と２４と２７の接合部分の枠（２３，２５）はそれぞれの枠の引き出した場合のストッパーと延び状態の保持の機能を持っている。これらのストッパーと延び状態の保持の機能は、従来技術を用いることができる。なお、本体枠２５は、本体枠の強度を確保する役目を担う。
【００１９】
折り畳み式携帯用キャリー２０の本体枠２７の下部に片持ち式に揺動自在に連結された台枠２９は、水平に展開された場合、本体枠２７の下端に支持された一対の車輪（２８ａ，２８ｂ）と、台枠２９の下側の先端に設けられた固定台３１とで安定に起立できるようになっている。
【００２０】
図４は、ベビーキャリアと折り畳み式携帯用キャリーの取付け説明図である。ベビーキャリアの頭当て部２の外側領域の上部に設けられた２つの第１の帯体（７，８）と折り畳み式携帯用キャリー２０の取っ手部２１の下方に設けられた２つの第２の帯体（９，１０）とが、嵌め込み係合用部材（９ａ，１０ａ）と嵌め込み係止用部材（７ａ，８ａ）とによって脱着可能に係合できるようになっている。
【００２１】
図５は、折り畳み式携帯用キャリーの側面図である。折り畳み式携帯用キャリー２０には、本体枠２７へ揺動自在に連結された左右一対の補助支持部４０と、それぞれの補助支持部（４０ａ，４０ｂ）の下端に設けられた補助車輪（４１ａ，４１ｂ）と、補助支持部（４０ａ，４０ｂ）を本体枠２７に取り付ける部材であって、かつ、補助支持部の揺動範囲を制限するストッパーの役割を担うストッパー部材（４２ａ，４２ｂ）とが設けられている。
図５の側面図に示すように、台枠２９の長さは、エスカレーターのステップの前後の長さに収めることが可能であり、ベビーキャリー具に乳幼児を載せたままエスカレーターを安全に利用することができるようにしている。
【００２２】
図６は、ベビーキャリー具を運搬する図である。ベビーキャリー具を運搬する際は、取っ手部２１を引っ張って進むため、補助車輪（４１ａ，４１ｂ）と本体枠２７の下端に支持された一対の車輪（２８ａ，２８ｂ）が地面に設置して移動することになり、安定して移動が可能であり、乳幼児は本体枠に背中を預けるような形になる。
本体枠２２の左右幅が大きい場合は、本体枠２２の部分に網掛けを設けて、本体枠２２の間にベビーキャリアが挟まれないようにしてもよい。
また、ベビーキャリー具を運搬する際、乳幼児は空を見上げるようになるので、日よけ用のサンバイザーなどを本体枠２２や取っ手部２１に取り付けても構わない。
【００２３】
図７は、折り畳み式携帯用キャリーが折り畳まれた図である。図７に示すように、折り畳み式携帯用キャリーは、本体枠（２２〜２７）を収納し、台枠２９を折り畳み、補助支持部（４０ａ，４０ｂ）を折り畳むと、カバンに収納できる大きさになる。
そして、図８に示すように、従来と同様に、ベビーキャリアを身体に装着する場合は、折り畳み式携帯用キャリーを手提げカバン５０に収納し持ち運べばよい。
【産業上の利用可能性】
【００２４】
本発明のベビーキャリー具は、袋式の抱っこ紐、おんぶ紐などの乳幼児キャリアに有用である。
【符号の説明】
【００２５】
１  ベビーキャリア
２  頭当て部
３  背当て部
４  股当て部
５  前当て部
６  ベルト
７，８  第１の帯体
７ａ，８ａ  係止用部材
９，１０  第２の帯体
９ａ，１０ａ  係合用部材
２０  折り畳み式携帯用キャリー
２１  取っ手部
２２〜２７  本体枠
２８  車輪
２９  台枠
３１  固定台
４０ａ，４０ｂ  補助支持部
４１ａ，４１ｂ  補助車輪
４２ａ，４２ｂ  ストッパー部材
５０  手提げカバン
【図１】
2013081671.tif 000003
【図２】
2013081671.tif 000004
【図３】
2013081671.tif 000005
【図４】
2013081671.tif 000006
【図５】
2013081671.tif 000007
【図６】
2013081671.tif 000008
【図７】
2013081671.tif 000009
【図８】
2013081671.tif 000010